(57)【要約】【課題】軽量で、かつ、強度の高い外壁用のパネルを提供する。【解決手段】建物の外壁１０を覆う金属製の支持パネル２と、その支持パネルに、その表側に支持される装飾部材３とからなり、前記支持パネルに、その表側でへこみ、裏向きに突出する複数の凹部４が形成されており、それらの凹部を介して支持パネルと前記外壁とが固定されることにより、前記支持パネルと外壁との間に隙間５が形成されており、前記凹部が断面コ字状の溝部であり、その溝部が、外壁に設けた支持パネルに対して下方に延びている、外壁用のパネル１。【選択図】図１
2015038276.tif 000002
【特許請求の範囲】
【請求項１】
建物の外壁を覆う金属製の支持パネルと、
その支持パネルに、その表側に支持される装飾部材とからなり、
前記支持パネルに、その表側でへこみ、裏向きに突出する複数の凹部が形成されており、
それらの凹部を介して支持パネルと前記外壁とが固定されることにより、前記支持パネルと外壁との間に隙間が形成される、外壁用のパネル。
【請求項２】
前記凹部が断面コ字状の溝部であり、
その溝部が、外壁に設けた支持パネルに対して下方に延びている、請求項１記載の外壁用のパネル。
【請求項３】
前記凹部として、椀状を呈する複数個の椀状部をさらに備えている、請求項１記載の外壁用のパネル。
【請求項４】
前記凹部が椀状を呈する複数個の椀状部からなる、請求項１記載の外壁用のパネル。
【請求項５】
二枚の前記支持パネルを上下に連結すべく、
前記支持パネルの上端縁から上方に差込片が延びており、
一方の支持パネルの差込片を他方の支持パネルの裏面側に差し込むことのできる、請求項１、２、３または４のいずれかに記載の外壁用のパネル。
【請求項６】
二枚の前記支持パネルを上下に連結すべく、
前記支持パネルの上下のいずれか一方の端縁の隣接する溝部と溝部の間から一方側に延びる差込片が設けられており、
その差込片を差し込むべく前記溝部が支持パネルの他方の縁まで延び、隣接する溝部の間を差込口としており、
片方の支持パネルの前記差込片をもう片方の支持パネルの対応する差込口に差し込むことができる、請求項２または３記載の外壁用のパネル。
【請求項７】
二枚の前記支持パネルを上下に連結すべく、
前記支持パネルの上下のいずれか一方の端縁から一方側に延びる差込片が設けられており、
その差込片に前記溝部が延長して形成されており、
片方の支持パネルの前記差込片をもう片方の支持パネルの下端に差し込むことができる、請求項２または３記載の外壁用のパネル。
【発明の詳細な説明】
【技術分野】
【０００１】
本発明は外壁用のパネルに関する。さらに詳しくは、既設の住宅の外壁に比較的容易に適用することができる外壁用のパネルに関する。
【背景技術】
【０００２】
特許文献１には、タイルパネルの施工構造が開示されている。その施工方法は、外壁の柱と柱の間に縦胴縁を固定し、その縦胴縁にパネルを取り付ける、というものである。
【０００３】
特許文献２には、タイル外壁構造が開示されている。その構造は、建物の外側を覆う複数枚の側壁パネルと、それらの側壁パネルを覆うように設けられる複数枚のタイルパネルとを備えている。前記タイルパネルは、金属製の基板と、その基板上に設けられる接着剤の層と、その接着剤の層の上に設けられ、互いに隙間を空けて配列され、接合されている多数の磁器質のタイルとからなる。そのタイルの隙間から見える目地部を通す釘などによりパネルが側壁に固定されている。また、前記接着剤は目地材とされている。
【先行技術文献】
【特許文献】
【０００４】
【特許文献１】特開平１０−３１７５４５号公報
【特許文献２】実用登録３１６３３２６号公報
【発明の概要】
【発明が解決しようとする課題】
【０００５】
特許文献１の施工方法は、外壁の柱と柱の間に縦胴縁を固定し、その縦胴縁にパネルを取り付けるため、現場作業が多くなり、施工が煩雑になる。
また特許文献２のタイル外壁構造は、外壁との間に隙間が形成されていない。
【０００６】
そこで本発明は、施工が簡易であり、軽量、かつ、強度の高い外壁用のパネルを提供することを課題としている。
【課題を解決するための手段】
【０００７】
本発明の外壁用のパネル（請求項１）は、建物の外壁を覆う金属製の支持パネルと、その支持パネルに、その表側に支持される装飾部材とからなり、前記支持パネルに、その表側でへこみ、裏向きに突出する複数の凹部が形成されており、それらの凹部を介して支持パネルと前記外壁とが固定されることにより、前記支持パネルと外壁との間に隙間が形成されることを特徴としている。
【０００８】
このような外壁用のパネルは、前記凹部が断面コ字状の溝部であり、その溝部が、外壁に設けた支持パネルに対して下方に延びていることが好ましい（請求項２）。
【０００９】
また、前記凹部として、椀状を呈する複数個の椀状部をさらに備えているものが好ましい（請求項３）。
【００１０】
さらに、前記凹部が椀状を呈する複数個の椀状部からなるものが好ましい（請求項４）。
【００１１】
また、二枚の前記支持パネルを上下に連結すべく、前記支持パネルの上端縁から上方に差込片が延びており、一方の支持パネルの差込片を他方の支持パネルの裏面側に差し込む
ことのできるものが好ましい（請求項５）。
【００１２】
また、二枚の前記支持パネルを上下に連結すべく、前記支持パネルの上下のいずれか一方の端縁の隣接する溝部と溝部の間から一方側に延びる差込片が設けられており、その差込片を差し込むべく前記溝部が支持パネルの他方の縁まで延び、隣接する溝部の間を差込口としており、片方の支持パネルの前記差込片をもう片方の支持パネルの対応する差込口に差し込むことができるものが好ましい（請求項６）。
【００１３】
さらに、二枚の前記支持パネルを上下に連結すべく、前記支持パネルの上下のいずれか一方の端縁から一方側に延びる差込片が設けられており、その差込片に前記溝部が延長して形成されており、片方の支持パネルの前記差込片をもう片方の支持パネルの下端に差し込むことができるものが好ましい（請求項７）。
【発明の効果】
【００１４】
本発明の外壁用のパネル（請求項１）は、外壁と連結される部分が凹部とされているから連結部の強度が高い。また凹部を介して外壁に連結できるから、縦胴縁のような別部材を施工する手間を省くことができる。
また凹部を介して外壁に固定されるので、外壁との間に隙間（すなわち空気層）を形成でき、雨水などを下方に流すことができ、通気することができる。
さらに複数個の凹部が形成されているので、パネルの湾曲を妨げることができる。このため、装飾部材を重量のある石材などを用いても、その荷重を支えることができる。さらに湾曲を防止できるので、板材を薄くすることができる。
【００１５】
このような外壁用のパネルにおいては、前記凹部が断面コ字状の溝部であり、その溝部が、外壁に設けた支持パネルに対して下方に延びている場合は（請求項２）、雨水を確実に下方に流すことができる。
また溝部が延びる方向に対して交わる方向に湾曲するのを防止することができる。このため、装飾部材を重量のある石材などを用いても、その荷重を支えることができる。さらに湾曲を防止できるので、板材を薄くすることができる。
【００１６】
また、前記凹部として、椀状を呈する複数個の椀状部をさらに備えている場合は（請求項３）、溝部で強度を高めつつ、部分的に強度の向上を図るために溝部とは別個に椀状部を設けることができるので、パネル全体の強度を効率的に高めることができる。
【００１７】
さらに、前記凹部が椀状を呈する複数個の椀状部からなる場合は（請求項４）、複数個の凹部が形成されているので、パネルの湾曲を妨げることができる。このため、装飾部材を重量のある石材などを用いても、その荷重を支えることができる。さらに湾曲を防止できるので、板材を薄くすることができる。
【００１８】
また、二枚の前記支持パネルを上下に連結すべく、前記支持パネルの上端縁から上方に差込片が延びており、一方の支持パネルの差込片を他方の支持パネルの裏面側に差し込むことのできる場合は（請求項５）、下方の支持パネルから差込片が延びているので、上下の支持パネルの継ぎ目から雨水が浸入するのを防止することができる。また上下に配置された外壁用のパネルの隙間が目立たない。
【００１９】
また、二枚の前記支持パネルを上下に連結すべく、前記支持パネルの上下のいずれか一方の端縁の隣接する溝部と溝部の間から一方側に延びる差込片が設けられており、その差込片を差し込むべく前記溝部が支持パネルの他方の縁まで延び、隣接する溝部の間を差込口としており、片方の支持パネルの前記差込片をもう片方の支持パネルの対応する差込口に差し込むことができる場合は（請求項７）、差込片が両溝部に沿って差込口に案内され
るので、所定の位置へ支持パネルを配置させることができ、かつ、施工が容易になる。また上下に配置された外壁用のパネルの隙間が目立たない。
【００２０】
さらに、二枚の前記支持パネルを上下に連結すべく、前記支持パネルの上下のいずれか一方の端縁から一方側に延びる差込片が設けられており、その差込片に前記溝部が延長して形成されており、片方の支持パネルの前記差込片をもう片方の支持パネルの下端に差し込むことができる場合は（請求項６）、差込片が左右に連続しているので、上下の支持パネルの継ぎ目から雨水が浸入するのを防止することができる。
【図面の簡単な説明】
【００２１】
【図１】図１は本発明の外壁用のパネルの一実施形態を示す一部切欠き正面図である。
【図２】図２ａは図１の支持パネルの正面図、図２ｂは図２ａのＩ−Ｉ線断面図、図２ｃは図２ａのＩＩ−ＩＩ線断面拡大図、図２ｄはスペーサを示す概略拡大図である。
【図３】図３は差込片を差し込む様子を示す概略断面図である。
【図４】図４ａは支持パネルの実施形態を示すと共に、その支持パネルの差込片が差し込まれる様子を示す概略図、図４ｂは支持パネルの他の実施形態を示すと共に、その支持パネルの差込片が差し込まれる様子を示す概略図である。
【図５】図５ａは支持パネルの他の実施形態を示す正面図、図５ｂは図５ａのＩ−Ｉ線断面拡大図である。
【図６】図６は支持パネルの他の実施形態を示す正面図である。
【図７】図７ａは支持パネルの他の実施形態を示す概略図、図７ｂは支持パネルのさらに他の実施形態を示す概略図である。
【図８】図８は支持パネルの他の実施形態を示す概略図である。
【発明を実施するための形態】
【００２２】
図１に示すように、本発明の外壁用のパネル１は、通常は複数枚で用いられ、建物の外壁１０の外側に設けられ、その外壁１０を外側から覆うものである。すなわち前記外壁用のパネル１は、長年にわたって、風雨にさらされるなどし、劣化し、見栄えが悪くなったが、それ自体の強度は保たれているような建物の外壁のリフォームとして用いられる。そのような建物の外壁１０としては、家屋、物置、ビル、あるいは灯台、風車などの半恒久的な建造物の外壁を含む。
【００２３】
前記外壁用のパネル１は、建物の外壁１０を覆う板状の支持パネル２と、その支持パネル２の表側の面に設けられる装飾部材３とからなる。図１に示す外壁用のパネル１は、この図示されている状態で、建屋の外壁１０に設置されている。すなわち外壁用のパネル１の背面に外壁１０がある。これ以降、上下あるいは左右方向とは、支持パネル２が建物に固定された状態に基づいており、後述する差込片６がある側が上方で、反対側が下方である。そして図１の左および右がそのまま左方向および右方向である。
【００２４】
図２ａおよび図２ｂには支持パネル２を示しており、図２ａでは外側の面、すなわち装飾部材３が設けられる面を示している。本実施形態では前記支持パネル２は、厚みが０．２ｍｍのステンレスの板材からなる。用いられる金属の材質としては、ステンレスの他、亜鉛メッキ鋼板、アルミニウム板などの耐候性が高く、加工が容易なものが好ましい。なお、板厚は、０．１〜０．８ｍｍであり、好ましくは０．１５〜０．４ｍｍである。
【００２５】
図２に示すように、支持パネルに２には、外壁１０側（支持パネルの裏面側）に突出する凹部としての溝部４が折り曲げ加工で一体に形成されている。本実施形態では、その溝部４は、断面形状が凹状の溝部４である。その溝部４は、まっすぐに上下方向に延びている。また溝部４は、支持パネル２の中央付近に２本設けられ、さらに両端付近に２本設け
られており、合計で４本設けられている。そのような溝部４の本数は、支持パネル２の左右方向の幅により適示設定される。
【００２６】
前記溝部４は、支持パネル２に一体に設けられており、補強用のリブとして作用する。この溝部４が形成されているから、支持パネル２の座屈に対する強度は高い。また強度が高くなるので、支持パネル２の板厚を薄くでき、軽量化できる。また溝部４で外壁１０（図１参照）と連結できるので、縦胴縁のような別部材を貼り付けるような施工の手間を省くことができる。
さらに、前記溝部４があることから、外壁１０の外面から離れた位置に支持パネル２が配置され、隙間５（図２ｂ参照）が形成される。このため、その隙間５から外壁１０と外壁用のパネル１との間に入った雨水などを下方に流すことができ、通気性も高い。
また図２ｄに示すように、外壁１０に予めスペーサ１０ａを固定してもよい。そのスペーサ１０ａは外壁の表面に凹所がある場合に、例えば煉瓦上の外壁では目地の部分が凹所となる、その凹所をまたぐように設ける。これにより、外壁１０と支持パネル２との間の隙間５が大きくなるのを防止する。
【００２７】
図２ｃに示すように前記溝部４の断面形状はコ字状であり、底部４ａと、その底部４ａの両端から底部に垂直で、同じ向きに延びる側部４ｂ、４ｂとから構成されている。その底部４ａの裏面（側部４ｂと反対側）が、外壁１０の表面との当接面となっている。その底部４ａに外壁１０に固定するためのネジや釘などの締結具を通すための貫通孔８が形成されている。なお、その貫通孔８は、タッピングネジやクギを打つときに形成してもよい。タイルなどの装飾部材３の目地９（後述する）に対応する部位に、予め貫通孔８形成しておくと、タイル３を傷つけずに支持パネル２をタッピングネジやクギで外壁用のパネル１０に固定することができる。
【００２８】
前記溝部４は、板材をプレス型によりプレス加工したり、プレスブレーキにより折り曲げ加工し、歪を発生させないように加工される。
【００２９】
前記溝部４の断面形状は、少なくとも外壁１０との接触面、すなわち平坦な面が設けられた底部４ａを有している。例えば断面形状が台形状などであってもよい。さらに、溝部４の全長にわたって、断面形状は同一でなくてもよい。しかし、溝部４をプレスやプレスブレーキなどにより折り曲げ加工する際に、支持パネル２にソリやたわみなどが生じるのをなるべく防止するように、シンプルな形状、すなわち図２ｃに示すような、断面形状がコ字状で、それが溝部の全長にわたって形成されているものが好ましい。
また、前記溝部４の断面形状として、コ字状のような矩形状の他、Ｕ字状や半円状のような湾曲形状にしてもよい。Ｕ字状や半円状場合には、矩形状のものに比べて断面効果が劣るが、矩形状のものを折り曲げて加工するのに比べて、プレス型により成形しやすいので、成形工程が少なく、大量生産が容易である。
【００３０】
本実施形態では、前記溝部４は支持パネル２の上下方向に延びている。このため、前記支持パネル２は溝部４を折り曲げるような方向、すなわち溝部４の延びる方向に垂直な軸周りに湾曲などの変形が生じにくい。
【００３１】
図１に戻って、前記支持パネル２の上縁からは、差込片６が１０〜２０ｍｍの高さで延びている。差込片６の溝部３に対応する部位では、曲げ加工を妨げないように、切り欠かれている（切り欠き部６ａ）。その差込片６の根本では、支持パネルの本体に対して板厚とほぼ同じ分だけ、内側に段差が付けられている（図３の符号Ｔ参照）。また差込片６の幅は、隣接する溝部４、４とほぼ同じ幅にされている。一方、支持パネル２の下端には差込片６は設けられていない。
【００３２】
図３に示すように、２枚の支持パネル２、２を上下に配置する際に、下の支持パネル２の差込片６を上の支持パネル２の下端の溝部４の間に挿入する。このとき差込片６は、板厚の分だけ段差が設けられているので、差込片６は上の支持パネル１の板の内面に重ねることができる。そして、その内面にいくらか接触しつつ、その内面を滑りながら上の支持パネル１と外壁１０の間に挿入される。また差込片６の左右の端面は、溝部４の外側の面にいくらか案内されるから、差込作業がスムーズである。それら溝部４、４の外周の間が差込口である（図２ａの符号６ａ参照）。この差込片６があるので、上下の支持パネル２、２の接合部から雨水が浸入するのを防止できる。
【００３３】
図２ｂに戻って、前記支持パネル２の左右の側縁には、内向きに折り曲げられた縁片７が設けられている。このため２枚の支持パネル２を左右に並べた際に、それらの向かい合う縁片７同士を当接させて、配置させることができる。また、樹脂製のガスケット（図示せず）を縁片７、７の間に配置してもよい。
【００３４】
図１に示すように、本実施形態において前記装飾部材３は、複数のタイルからなる。そのタイルとしては、磁器タイルが好ましい。磁器タイルのほか、たとえば石板や壁面緑化のための植物の基台なども使用することができる。前記装飾部材３は、支持パネル２の表側（図２ａで示している面）にシリコーン系の接着剤などにより、接着される。その接着剤としては、変性シリコーン系の二液性の弾性エポキシ接着剤が好ましい。本実施系形態では、タイル間の目地９は支持パネル２の表面が見えている。その見えている部位は塗装されている。なお支持パネル２のほぼ全面に接着剤を塗布し、前記目地９は前記接着剤が見えている。その接着剤の表面に意匠性を高めるべく、装飾性のある色付けされた砂を固定してもよい。また前記目地９は支持パネル２の表面が見えるようにしてもよい。そのばあには、見えている部分を塗装するのがよい。
また、このような外壁用のパネル１は、あらかじめ工場で製造するのが好ましい。なお、本実施形態では、装飾部材３を支持パネル２に接着し、さらにネジなどで装飾部材３を支持パネル２に固定している。装飾部材３をネジなどで支持パネル２に固定すると、火災などで接着剤の接着力が低下しても、装飾部材３を支持パネル２に固定することができ、落下を防止できる利点がある。
【００３５】
なお装飾部材３を、左右方向あるいは上下方向に補強用のバーを用いて（図示せず）一体に連結し、その補強バーと共に、装飾部材３を支持パネル２に固定して、外壁用のパネル１の全体として強度を高めてもよい。特に装飾部材３が左右方向に連結されていると、支持パネル２に固定して一体としたときに、前記支持パネル２の溝部４と直交する配置になるから、上下・左右方向にパネルの変形を防止することができる。
隣接するタイル同士は所定の縦横の目地９（図１参照）空けて整列させる。それら目地９の寸法は５〜１０ｍｍ程度である。またタイルは、上下の段で半ピッチずつずらせた、いわゆる煉瓦積みの形態としている。そのため縦方向の目地９は連続せず、縦方向の目地９に沿って折れ曲がるのが防止される。また横方向の目地９は連続しているが、溝部４があるので、折れ曲がりにくい。さらに図１の外壁用のパネル１では、溝部４をまたいでタイルを貼り付けているので、溝部４で折れ曲がりにくい。
【００３６】
次に外壁用のパネル１を外壁１０に施工する方法を説明する（図１および図３参照）。まず外壁用のパネル１を外壁１０の間柱１０ａと溝部４との位置を合わせるように配置する。次いで、貫通孔８にネジなどの締結具８ａを通して、外壁用のパネル１を外壁に固定する。その後、固定した外壁用のパネル１の上方に、もう一枚の外壁用のパネル１を配置する。このとき下方の固定した外壁用のパネルの差込片６を差込口６ａに通す。最後に上方の外壁用のパネル１を建物の間柱１０ａに固定する。
この方法によれば、差込口６ａに差込片６が通されて案内されるから、上方の外壁用のパネル１の位置合わせが容易である。また上方の外壁用のパネル１は下方の段部６の上に
仮置きできる。このため、その仮置きしている間に、締結具などで固定することができるので、施工が容易である。なお、上方の支持パネル２の装飾部材３を下方の支持パネル２の上端に仮置きしてもよい。
また支持パネル２を上下逆さまにして、差込口６ａを上に向け、差込片６を下に向けて用いてもよい。すなわち、下方の外壁用のパネル１を固定した後に、その上端の差込口６ａに、上方の外壁用のパネル１の下端の差込片６を差し込むようにしてしてもよい。この場合、一段目の支持パネル２には差込片６は設けなくてもよい。
【００３７】
次に図４ａを用いて支持パネル２の他の実施形態を説明する。このものは図１の支持パネル２とほぼ同じであるので、同じ部分には同じ符号を付して、その説明を省略する。この支持パネル２ａの差込片６ｃには、溝部４が支持パネル２から延長して、設けられている。一方、支持パネル２ａの差込片６ｃの反対側の端部の溝部４は、差込片６ｃの溝部４の内部に重なるように差し込まれる。このため差込片６ｃの溝部４の溝空間は大きい。このように切欠部６ｂを設けていないので、そこから雨水が浸入するのを防止できる。
また、図４ｂに示すように、支持パネル２ｂの差込片６ｃの溝部４の溝の内部空間を大きくしないで、差し込まれる側の溝部４を前記差込片６ｃの溝部４より大きめに切り欠いて、その切り欠いた部位６ｄに溝部４を差し込んでもよい。
【００３８】
次に図５ａを用いて支持パネル１の他の実施形態を説明する。このものは凹部を除き図１の支持パネル２とほぼ同じであるので、同じ部分には同じ符号を付して、その説明を省略する。
図５ａおよび図５ｂに示す支持パネル１２の凹部は、椀状で裏面側（外壁１０側）に突出している。以後、椀状部１１とする。その椀状部１１がプレス加工などの絞り加工のような塑性加工により、支持パネル２に複数個形成され、それらの椀状部１１がほぼ千鳥状に配置されている。その椀状部１１が外壁１０に当接するから、椀状部１１以外の部位では外壁１０との間に隙間５が形成される。その隙間５内を水は下方に流れる。また、タイル３間の目地９（図１参照）に相当する部位に椀状部１１が配置されている。さらに横長の差込片６を有しており、他の支持パネル２の下端から差し込まれる。
【００３９】
また、前記椀状部１１は、湾曲した周面を有しているので、上から流れてくる水は湾曲面に沿って下方にスムーズに流れやすい。図５ａに示すように二点鎖線で囲まれた領域の椀状部１１は円形である。一方、前記支持パネル１２の前記領域の外には、左右端の椀状部１１ａ、差込片６に設けられた上端の椀状部１１ｂ、下端の椀状部１１ｃが設けられている。それら椀状部１１ａ、１１ｂ、１１ｃは、図５ｂに示すように扁平である。すなわち図中の上方の輪郭が略円弧状で下方の周縁が扁平で、貫通孔８が下側にあることから分かるように、上方の周面が下方に比べて傾斜が急になっている。
前記支持パネル１２の両側の椀状部１１ａは、傾斜が急な扁平部を左右方向の外側に向けている。さらに下端の椀状部１１ｃは差込片の椀状部１１ｂに比べて大きくされている。これは支持パネル２を上下に配置して、一方の差込片６を他方の裏側に差し込む際に、下端の椀状部１１ｃの内に差込片の椀状部１１ｂを重ねて配置するためである。
また多数の椀状部１１が形成されているので、支持パネル２の曲げに対する抵抗となるから、パネルの強度を向上させることができる。そのため、支持パネル２の板厚を薄くでき、軽量化できる。さらに椀状部１１で外壁１０と連結されるので、縦胴縁のような別部材を施工する手間を省くことができる。
【００４０】
図６には支持パネルの他の実施形態を示している。このものは図１および図５の支持パネル１、１２とほぼ同じであるので、同じ部分には同じ符号を付して、その説明を省略する。
図６に示す支持パネル１３は、溝部４および椀状部１１からなる凹部を備えている。このものは、溝部４によりある程度の強度を維持しつつ、さらに強度を向上させる箇所に椀
状部１１を形成する。図では、中央の２本の溝部４、４との間の幅広の部位に椀状部１１を設けて、外壁１０側との接合部とし、かつ、支持パネル２自体の曲げに対する抵抗力を補強している。
【００４１】
ここで、前記凹部４とは、支持パネル２と一体であり、裏面側に突出した部位分である。そして、その突出端付近は、少なくとも締結具を配置できる程度に平坦にされ、その平坦面で外壁１０と接触し、固定されるものである。
例えば、椀状の他に、帯状に盛り上がった、いわゆるビード状にしてもよい。なお、そのビード状の凹部を一直線上に並べることで、溝部４とほぼ同様な形状を得ることができる。
【００４２】
図７ａは、支持パネルの他の実施形態を示している。この支持パネル１４は、溝部４が左右方向に対して斜め約４５度になるように設けられている。このため、支持パネル２に加えられる上下あるいは左右に曲げようとする力に対抗することができ、そのような曲げによる変形を防止することができる。なお溝部４は、左右方向に対して−４５°の方向で設けてもよい。
図７ｂには、支持パネルのさらに他の実施形態を示している。その支持パネル１５は、Ｓ字状に緩く湾曲した溝部４を備えている。このものも湾曲により、パネルを上下あるいは左右に曲げようとする力に対抗し、そのような曲げによる変形を防止するというものである。なお、溝部４を逆Ｓ字状に設けてもよい。
さらに支持パネル１４、１５において、二点鎖線で示すように、強度を向上させたい部位に椀状部１１を設けてもよい。
これら支持パネル１４、１５は、図１の支持パネルの溝部４のように、まっすぐに形成されていない。このため、外壁１０に目地などの格子状の凹凸がある場合に、そのような凹凸と溝部４とが重なるのを防止することができる。なお前記溝部４の傾斜する角度は、溝部４が外壁１０の凹凸と重ならない程度の角度が好ましい。
【００４３】
図８の支持パネル１６は、溝部４がハ字状に設けられている。この支持パネル１６は異なる方向に延びる溝部４により曲げに対抗しているので、種々の方向の曲げに対する変形を防止しやすい。さらに二点鎖線で示すように、強度を向上させたい部位に椀状部１１を設けてもよい。
【符号の説明】
【００４４】
１  外壁用のパネル
２  支持パネル
３  装飾部材（タイル）
４  溝部（凹部）
４ａ  底部
４ｂ  側部
５  隙間
６  差込片
６ａ  差込口
６ｂ  切欠部
６ｃ  差込片
６ｄ  切欠部
７  縁片
８  貫通孔
８ａ  締結具
９  目地
１０  外壁
１０ａ  スペーサ
１１  椀状部（凹部）
１１ａ  左右端の椀状部
１１ｂ  差込片の椀状部
１１ｃ  下端の椀状部
２ａ、２ｂ、１２、１３、１４、１５、１６  支持パネル
【図１】
2015038276.tif 000003
【図２】
2015038276.tif 000004
【図３】
2015038276.tif 000005
【図４】
2015038276.tif 000006
【図５】
2015038276.tif 000007
【図６】
2015038276.tif 000008
【図７】
2015038276.tif 000009
【図８】
2015038276.tif 000010